(57)【要約】主プログラム（Ｐ１，Ｐ２，…）及びコマーシャル（＝副プログラムＣ１，Ｃ２，…）は、交互に伝送され、本発明による表示システムの「通常モード」において、表示器（３）に直接供給される。コマーシャルを有する第３のプログラム（Ｃ１＊，Ｃ２＊，…）は、並行に伝送されかつ時間伸長される。すなわち小帯域幅によるものであり、メモリ（４）に連続的に記憶される。ユーザが「通常モード」中に「ポーズ」を押すと、それまで記録されていた第３のプログラム（コマーシャルＣ１＊，…）が示され、プログラム（Ｐ３，…）自体は遅延することになり、もってバッファ（５）に記憶されることになる。ユーザが視聴を再開すると、停止しておいた主プログラム（Ｐ３）の開始が可能となり、そのプログラムの終わりに放送されるコマーシャル（Ｃ３，Ｃ４，…）（の一部）が示されなくなる。
2004513579.tif 000002
【特許請求の範囲】
【請求項１】
オーディオ及び／又はビデオ情報を伝送する方法であって、
前記情報は、第１、第２及び第３プログラムに分割され、前記第１及び第２プログラムは、交互順序で伝送され、これらプログラムと並行に前記第３プログラムが伝送される、伝送方法。
【請求項２】
オーディオ及び／又はビデオ情報を受信する方法であって、
前記情報は、請求項１に記載の方法により伝送され、この情報は受信され、その受信情報が第１、第２及び第３プログラムに区別される、受信方法。
【請求項３】
請求項１に記載の方法により伝送され請求項２に記載の方法により受信されるオーディオ及び／又はビデオ情報を再生する方法であって、
（ａ）前記第１及び第２プログラムがその伝送に応じて再生される「通常モード」と、
（ｂ）ユーザにより起動可能なモードであって、前記第１プログラムの再生が中断され前記第３プログラムがその代わりに再生されるとともに他に受信した第１プログラムがバッファに供給され記憶される「ポーズモード」と、
（ｃ）「ポーズモード」中にユーザにより起動可能なモードであって、受信された第１プログラムの前記バッファへの供給及び記憶が継続され、当該第１プログラムの再生が中断された時点からその第１プログラムの再生が再開され、前記第１プログラムは、挿入された第２プログラムが停止されている間にバッファから取り込まれ、バッファから現に再生されている第１プログラムが当該伝送順序において当該第１プログラムに後続する第２プログラムの伝送中に終了する場合に前記「通常モード」への復帰とともに終了する「再開モード」と、
を切り換える、再生方法。
【請求項４】
請求項１ないし３のうちいずれか１つに記載の方法であって、前記第３プログラムは、時間伸長されて伝送され、メモリに記憶され、前記「ポーズモード」中にこのメモリから再生される、ことを特徴とする方法。
【請求項５】
請求項３ないし４のうちいずれか１つに記載の方法であって、前記第２プログラムは、前記バッファに記憶されない、ことを特徴とする方法。
【請求項６】
請求項３ないし５のうちいずれか１つに記載の方法であって、前記バッファ及び／又はメモリの一部は、それに記憶されるプログラムが再生されるや否や自由に指定される、ことを特徴とする方法。
【請求項７】
請求項３ないし６のうちいずれか１つに記載の方法であって、前記「ポーズモード」から前記「再開モード」への移行は、現に再生されている第３プログラムが終了するまで遅延させられる、ことを特徴とする方法。
【請求項８】
請求項１ないし７のうちいずれか１つに記載の方法であって、前記第１、第２及び第３プログラムの伝送は、ＶＣＲその他の記録装置から又はラジオ送信機による放送から生じる、ことを特徴とする方法。
【請求項９】
請求項１ないし８のうちいずれか１つに記載の方法であって、前記第２及び第３プログラムは、コマーシャルを有する、ことを特徴とする方法。
【請求項１０】
複数のチャネルにおいて並行に伝送されたオーディオ及び／又はビデオ情報を再生する方法であって、当該各チャネルにおける情報は、第１及び第２情報に分割され、そのユーザにより前記チャネルのうちの１つを選択することが可能でありその選択されたチャネルの前記第１情報が再生され、当該方法は、前記ユーザが当該選択チャネルを変える度に初期化され初期化から所定時間後に終了する「情報モード」を含み、前記第２情報は、前記情報モードにおいて前記第１情報と並行に又は前記第１情報に代わり再生される、方法。
【請求項１１】
請求項１０に記載の方法であって、前記第２情報は、時間伸長されて又は時間伸長されないまま前記第１情報と並行に伝送され、メモリに記憶され、かつ前記情報モードの間そのメモリから再生される、ことを特徴とする方法。
【請求項１２】
請求項１０又は１１に記載の方法であって、前記第１及び第２情報の伝送は、ＶＣＲその他の記録装置から又はラジオ送信機の放送から生じる、ことを特徴とする方法。
【請求項１３】
請求項１０、１１又は１２に記載の方法であって、前記第２情報はコマーシャルを有する、ことを特徴とする方法。
【請求項１４】
請求項１０ないし１３のうちいずれか１つに記載の方法であって、前記オーディオ及び／又はビデオ情報は、請求項１に記載の方法により伝送され、前記第２情報は、第２及び／又は第３プログラムを有する、ことを特徴とする方法。
【請求項１５】
請求項１ないし１４のうちいずれか１つに記載の方法であって、前記オーディオ及び／又はビデオ情報はディジタル符号化されている、ことを特徴とする方法。
【請求項１６】
第１、第２及び第３プログラムに分割されるオーディオ及び／又はビデオ情報の受信機であって、交互順序で伝送された第１及び第２プログラムと当該第１及び第２プログラムと並行に伝送された第３プログラムとを受信し弁別することを可能とすることを特徴とする受信機。
【請求項１７】
第１、第２及び第３プログラムに分割されるオーディオ及び／又はビデオ情報を再生する装置であって、
（Ａ）請求項１６に記載の受信機と、
（Ｂ）オーディオ及び／又はビデオ情報の中間的記憶のためのバッファと、
（Ｃ）オーディオ及び／又はビデオ情報の再生のための再生ユニットと、
（Ｄ）次の各モード
（ａ）前記第１及び第２プログラムがその伝送に応じて再生される「通常モード」と、
（ｂ）ユーザにより起動可能なモードであって、前記第１プログラムの再生が中断され前記第３プログラムがその代わりに再生されるとともに他に受信した第１プログラムがバッファに供給され記憶される「ポーズモード」と、
（ｃ）「ポーズモード」中にユーザにより起動可能なモードであって、受信された第１プログラムの前記バッファへの供給及び記憶が継続され、当該第１プログラムの再生が中断された時点からその第１プログラムの再生が再開され、前記第１プログラムは、差し挟まれた第２プログラムが停止されている間にバッファから取り込まれ、バッファから現に再生されている第１プログラムが当該伝送順序において当該第１プログラムに後続する第２プログラムの伝送中に終了する場合に前記「通常モード」への復帰とともに終了する「再開モード」と、
を切り換えることを可能とするよう構成された制御ユニットと、
を含む装置。
【請求項１８】
請求項１７に記載の装置であって、記録される情報であって第１、第２及び第３プログラムに分割されるオーディオ及び／又はビデオ情報を再生する再生ユニットを含み、前記第１及び第２プログラムは、交互順序で前記受信機に伝送され、前記第３プログラムは、前記第１及び第２プログラムと並行に前記受信機に伝送される、ことを特徴とする装置。
【請求項１９】
請求項１７又は１８に記載の装置であって、請求項３ないし９のうちいずれか１つに記載の方法を実行するように構成されることを特徴とする装置。
【請求項２０】
複数のチャネルにおいて並行に伝送されるオーディオ及び／又はビデオ情報の再生のための装置であって、当該各チャネルにおける情報は、第１及び第２情報に分割され、
（Ａ）前記第１情報とこれに並行又は非並行に伝送される第２情報とを受信し弁別することのできるレシーバと、
（Ｂ）オーディオ及び／又はビデオ情報の中間的記憶のためのオプションとしてのバッファと、
（Ｃ）前記第２情報がチャネルの変更後の再生に適しているかどうかを判定することのできるオプションとしてのデコーダと、
（Ｄ）前記オーディオ及び／又はビデオ情報の再生のための再生ユニットと、
（Ｅ）前記複数のチャネルのうちの１つをユーザが選択し前記レシーバからの当該選択チャネルの前記第１情報を前記再生ユニットに供給することを可能とするよう構成された制御ユニットと、
を含み、
前記制御ユニットはさらに、前記選択チャネルが変更される度に情報モードを初期化し、初期化から所定時間後に当該情報モードを終了させ、前記第２情報は、前記情報モードにおいて前記第１情報に並行に又はこれに代えて前記再生ユニットに供給される、
装置。
【請求項２１】
請求項２０に記載の装置であって、記録されるオーディオ及び／又はビデオ情報を複数の選択可能なチャネルにおいて伝送する再生ユニットを含み、当該各チャネルにおける情報は、第１及び第２情報に分割される、ことを特徴とする装置。
【請求項２２】
請求項２０又は２１に記載の装置であって、請求項１０ないし１４のうちのいずれか１つに記載の方法を実行するよう構成されたことを特徴とする装置。
【発明の詳細な説明】
【０００１】
【発明の属する技術分野】
本発明は、第１プログラム及び第２／第３プログラム（コマーシャル）に分割されるオーディオ及び／又はビデオ情報を伝送、受信及び再生する方法及びこれらの方法を実行する装置に関する。さらに、本発明は、第１情報及び第２情報（コマーシャル）に分割されるオーディオ及び／又はビデオ情報を伝送、受信及び再生する方法及びこれらの方法を実行する装置に関する。
【０００２】
【従来の技術】
テレビ又はラジオにて放送される情報は、第１情報又はプログラムとその内容及び消費者又は視聴者に対するその関連性に応じたリンクされた各情報片たる第２情報又はプログラムとに分割されることがある。通常、主たる第１情報は、当該視聴者が本当に見たいもの又は聞きたいものであり、第２情報は、コマーシャル、交通情報、株式ニュース、気象通報などの付加的情報である。第１及び第２情報は、交互順序で伝送されるのが一般的であり、またその順序で再生される。これは、その第２情報又はプログラムのタイミングについて視聴者に何の選択の余地を与えない。したがって、第２情報は、都合の悪い時に出現することがある。
【０００３】
米国特許公報第５，３３３，０９１号は、伝送情報を記録するのに用いることのできるビデオカセットレコーダ（ＶＣＲ）を開示している。記録中、このＶＣＲはコマーシャル（第２情報）の開始と終了を検出することを試みて当該テープに対応のタイムマークを残す。このテープの再生の間、当該ＶＣＲは、コマーシャルの各開始点からその終端まで高速スキャンモードに切り換える。このようにコマーシャルをスキップすることを可能にしているのである。しかしながら、伝送中にオンラインのコマーシャルの発生に影響を与える方法はない。
【０００４】
国際特許出願公開公報第ＷＯ９７／３６４２４号は、表示するビデオチャネルが変わるときにおいて広告情報を表示する方法を開示している。かかる広告情報は、チャネルが変わったときに利用可能とするために予め表示ステーションに送信され、そこで記憶されることを必要としている。
【０００５】
米国特許公報第５，３７１，５５１号には、「循環バッファ」を具備する表示ステーションが開示されている。送信されたオーディオ及び／又はビデオ情報は、当該バッファに連続的に記憶され、そのバッファからディスプレイへと送信される。当該バッファにおける送信情報の記憶によっては、ユーザがその情報において前後にある限られた程度ジャンプ（飛び越し）することを可能にし、ユーザがコマーシャルのようなあまり望まない第２情報をスキップ（省略）することを可能にしている。しかしながら、この処理の適用には、バッファに既に記憶された情報により順方向ジャンプが行われることが可能となることを保証するためにある遅延をもってその伝送情報をユーザが見ていることが必要である。さらに、コマーシャル（情報）は、主たる第１プログラムを製作するコストを低減することができるので、視聴者（消費者）にとっては利益のあるものであるのにもかかわらず、この手法においては全てのコマーシャルが排除されるものである。
【０００６】
【発明が解決しようとする課題】
したがって、本発明の目的は、主たる第１プログラム及び副次的な第２プログラム／さらに副次的な第３プログラム（例えばコマーシャル）に分割されるオーディオ及び／又はビデオ情報を伝送し再生する方法及び装置であって、当該第２／第３プログラムのタイミングが良好でかつ個々のユーザに合うものとした方法及び装置を提供することである。
【０００７】
【課題を解決するための手段】
この目的は、請求項１，２，３及び／又は１０に記載の方法及び請求項１６，１７及び／又は２０に記載の装置によって達成される。
【０００８】
本発明の一態様によれば、オーディオ及び／又はビデオ情報を伝送する方法が提供され、この情報が第１、第２及び第３プログラムに分離され、これら第１及び第２プログラムが通常は交互の順に伝送され、当該第３プログラムが当該第１及び／又は第２プログラムに並行な形態で伝送される。さらに本発明は、これらの伝送したものを受信する方法を提供する。この方法により、伝送におけるそれらの種別に応じた受信の後は、第１、第２及び第３プログラムに情報が区別される。
【０００９】
本発明はまた、上述した方法により伝送され受信されるオーディオ及び／又はビデオ情報を再生する方法に関する。この情報は、第１、第２及び第３プログラムに分割され、当該第１及び第２プログラムは大抵は交互の順序で伝送され、当該第３プログラムは当該第１及び／又は第２プログラムに並行に伝送される。動作時において、この方法は、
（ａ）前記第１及び第２プログラムがその伝送に応じて（すなわち「リアルタイム」で）再生される「通常モード」と、
（ｂ）ユーザにより起動可能なモードであって、前記第１プログラムの再生が中断され前記第３プログラムがその代わりに再生されるとともに、現に伝送され受信されている第１プログラムがバッファに供給され記憶される「ポーズモード」と、
（ｃ）「ポーズモード」中にユーザにより起動可能なモードであって、現に受信されている第１プログラムの前記バッファへの記憶が継続され、当該第１プログラムの再生がその中断された時点からその第１プログラムの再生が再開され、前記第１プログラムは、挿入された第２プログラムが停止されている間にバッファから取り込まれ、バッファから現に再生されている第１プログラムが当該伝送順序において当該第１プログラムに後続する第２プログラムの「リアルタイム」伝送中に終了する場合に前記「通常モード」への復帰とともに自動的に終了する「再開モード」と、
を切り換えるようにしている。
【００１０】
この「通常モード」では、本方法は、当該伝送又は送信により予め定められたようにその交互順序の第１及び第２プログラムを簡単に再生する。この第２プログラムは、特に広告又は宣伝その他のコマーシャルによって構成可能である。第３プログラムは、第１及び／又は第２プログラムに並行して受信されるが再生はされない。ユーザが例えば電話の呼び出しに答えようとして第１プログラムの視聴中に一時停止させたい場合は、「ポーズモード」を起動する。かかる「ポーズモード」においては第１プログラムの再生が中断されるが、第１プログラムのうちの何も失わない。何故ならば、当該第１プログラムは直ちにバッファに差し向けられ記憶されるからである。第１プログラムの代わりに第３プログラムが表示される。この第３プログラムはコマーシャルによって構成されるのが好ましく、本例では、視聴者自身が選んだ時点において当該視聴者に届くようにしている。
【００１１】
視聴者は、第１プログラムの視聴を再開しようとする場合、「ポーズモード」を解除する。これにより、「再開モード」への移行がなされ、第３プログラムの再生が中断され第１プログラムの再生が最後に中断した丁度その時点から再開される。第１プログラムは、その中断以来記憶されていたそのバッファから読み出される。その一方で、致来する伝送プログラムの記憶は続けられ、これにより情報の損失回避を保証することとなる。
【００１２】
「再開モード」においては第２プログラムは再生されない。この第２プログラムの排除より時間が節約されるので、バッファからの第１プログラムの再生が第１及び第２プログラムのリアルタイム伝送に追いつくことが可能になる。遂には、当該伝送順序においてこの第１プログラムに後続する第２のプログラムのリアルタイム伝送の間にバッファから現に再生されている第１プログラムが終了する時点に至る。この時点において「通常モード」へ戻る切り換わりがなされ、リアルタイムの第２プログラムについての再生が継続される。
【００１３】
第２プログラムは、「ポーズモード」においてもまた「再開モード」においても再生されないので、これらのモードの間は当該バッファに記憶されないようにするのが好ましく、これにより記憶容量が節約される。
【００１４】
ユーザが「通常モード」において第２プログラムの再生（及び伝送）の間に「ポーズモード」を起動する場合、この第２プログラムの再生は、当該プログラムが終わるまで続け、その後に第３プログラムの再生が続くようにしてもよい。他には、第２プログラムの再生を直ちに中断しその後に第３プログラムの再生を続けるようにしてもよい。
【００１５】
さらに、第１プログラムを何ら損なうことなく当該「再開モード」において「ポーズモード」を（再）起動することができることも明らかである。
【００１６】
本発明の好ましい実施例によれば、前記第３プログラムは、時間的に伸長されて伝送され、メモリに記憶され、前記「ポーズモード」中にこのメモリから再生される。さらに、このオーディオ及び／又はビデオ情報は、ディジタル符号化されるのが好ましい。ディジタル符号化によって、所定の持続期間の第３プログラムを、十分に長い時間期間において（すなわち「伸長」して）伝送することが可能となる。かくして第３プログラムは、小さい帯域幅だけを用いて第１プログラム及び第２プログラムと並行に伝送可能となる。かかる伸長伝送のために、第３プログラムは、メモリに記憶されそれらが必要に応じてすなわち当該「ポーズモード」においてこのメモリからリアルタイムで再生されることができることを保証しなければならない。
【００１７】
当然、バッファ中の利用可能なメモリ空間は貴重であるので、当該バッファ／メモリの部分は、そこに記憶されたプログラムが一旦出力され再生されるとすぐに自由なものとして指定されるのがよい。そしてこれらバッファ／メモリの部分は、到来する伝送情報すなわち第１及び／第３プログラムを記憶するよう再び使用可能となる。
【００１８】
本発明の他の実施例によれば、前記「ポーズモード」から前記「再開モード」への移行は、現に再生されている第３プログラムが終了するまで遅延させられる。この形態においては、第１プログラムの再生が継続される前に、一旦開始された第３プログラム例えばコマーシャルが終了することが保証される。
【００１９】
第１、第２及び第３プログラムの伝送は、任意の適正なソース例えばＶＣＲのような記録装置から又はラジオトランスミッタによる放送から生じるものとすることができる。したがって、ラジオトランスミッタによるオリジナルの放送は先ずＶＣＲ等に記録されその後にこの装置から表示ステーションへ伝送されることも可能になる。この場合、本発明による方法は、オリジナルの放送中にも記録装置からの再生中にも適用可能である。
【００２０】
本発明はまた、複数チャネルにおいて並行して伝送されるオーディオ及び／又はビデオ情報を伝送し再生する方法に関する。ここでの各チャネルにおける情報は、第１及び第２情報に分割されるものである。第１情報は、ユーザが特に関心のある典型的な番組その他のプログラムからなるのが好ましく、第２情報は、第１情報と並行して伝送されるコマーシャルからなるのが好ましい。ユーザは、当該チャネルのうちの１つを選択することができ、その選択されたチャネルの第１情報が再生される。さらに本方法は、前記ユーザが当該選択チャネルを変える度に初期化され初期化から所定時間後に終了する「情報モード」を含み、前記第２情報は、前記情報モードにおいて前記第１情報と並行に又は前記第１情報に代わり再生されるようにしている。ユーザがその時間期間の終了前に当該チャネルを変更すると、その都度新しい情報モードが開始する。
【００２１】
この方法により、ユーザがチャネルを変える度に付加的情報特に報知情報の再生が可能となる。かかる報知情報は、例えば「この番組はＸＹＺによりお届けしております。」といったメッセージからなるものとすることができる。このようにこの報知情報は、そのチャネルを変えることによりユーザ自身が決定した時点で当該ユーザに呈示されるのである。
【００２２】
チャネルの変更が生じてからある時間期間後に第２情報の再生が開始されるのが好ましい。この方法においては、ユーザが比較的長い時間の間特定チャネルに留まることを決めた場合にのみ再生が行われることを保証している。
【００２３】
本発明の好ましい実施例によれば、第２情報は、第１情報と並行して伝送される。これは時間伸長され、メモリに記憶され、当該情報モードにおいてこのメモリから再生される。さらに、オーディオ及び／又はビデオ情報は、ディジタル符号化されるのが好ましい。ディジタル符号化によって、非常に長い時間期間にわたって（すなわち「伸長」して）所定の持続期間の第２情報を伝送することが可能となる。したがって、第２情報は、狭い帯域のみ用いて第１情報と並行に伝送することができる。かかる伸長伝送のため、第２情報は、必要に応じてリアルタイムですなわち情報モードにおいてこのメモリから再生されることが保障されるようメモリに記憶されなければならない。
【００２４】
第１及び第２情報の伝送は、適切なソースから、例えばＶＣＲのような記録装置から又はラジオトランスミッタによる放送から生じるようにすることができる。したがって、ラジオトランスミッタによるオリジナルの放送は、ＶＣＲ等に先ず記録され、その後に当該装置から表示ステーションへ伝送されることも可能である。この場合、本発明による方法は、そのオリジナル放送中も当該記録装置からの再生中も適用可能となる。
【００２５】
上述した方法は組み合わされるのが好ましい。したがって、「ポーズモード」等の実現のために指定された第１、第２及び第３プログラムの伝送においては、第２及び／又は第３プログラムが「情報モード」の実現のために第２情報として機能するのが好ましい。
【００２６】
さらに本発明は、第１、第２及び第３プログラムに分割されるオーディオ及び／又はビデオ情報の受信機であって、交互順序で伝送された第１及び第２プログラムと当該第１及び第２プログラムと並行に伝送された第３プログラムとを受信し弁別することを可能とすることを特徴とする受信機に関する。
【００２７】
本発明はまた、第１、第２及び第３プログラムに分割されるオーディオ及び／又はビデオ情報を再生する装置であって、
（Ａ）上述したタイプのレシーバであって、交番シーケンスで伝送される第１及び第２のプログラムとこれら第１及び第２プログラムと並行して伝送される第３プログラムとを受信し判別することのできる受信機と、
（Ｂ）オーディオ及び／又はビデオ情報の中間的記憶のための、当該受信機に結合されるバッファと、
（Ｃ）オーディオ及び／又はビデオ情報の再生のための、当該受信機及び当該バッファに結合される再生ユニットと、
（Ｄ）当該受信機、バッファ及び再生ユニットに結合されるユニットであって、次の各モード
（ａ）前記受信機により受信される第１及び第２プログラムがその伝送に応じて（すなわちリアルタイムで）再生される「通常モード」と、
（ｂ）入力部を介してユーザにより任意に起動可能なモードであって、前記第１プログラムの再生が中断され前記第３プログラムがその代わりに再生されるとともに当該受信機により受信した現に伝送されているプログラムがバッファに供給され記憶される「ポーズモード」と、
（ｃ）「ポーズモード」中に任意にユーザにより入力部を介して起動可能なモードであって、当該受信機により受信された現伝送プログラムの前記バッファへの供給及び記憶が継続され、当該第１プログラムの再生がその中断された時点からその第１プログラムの再生が再開され、前記第１プログラムは、差し挟まれた第２プログラムが停止されている間にバッファから取り込まれ、バッファから現に再生されている第１プログラムが当該伝送シーケンスにおいて当該第１プログラムに後続する第２プログラムの「リアルタイム」伝送中に終了する場合に自動的に前記「通常モード」への復帰とともに終了する「再開モード」と、
を切り換えることを可能とする制御ユニットと、
を含む装置にも関する。
【００２８】
この装置によって、上述した先の各方法を実現することができる。したがって、これら方法から得られる利点を持つことができる。さらに、この装置は、上述した各方法の好ましい変形例に応じて改変することができる。
【００２９】
本装置は特に、記録される情報であって第１、第２及び第３プログラムに分割されるオーディオ及び／又はビデオ情報を再生する再生ユニットを含み、前記第１及び第２プログラムは、交互シーケンスで前記受信機に伝送され、前記第３プログラムは、前記第１及び第２プログラムと並行に前記受信機に伝送されるようにすることもできる。
【００３０】
さらに、本発明は、複数のチャネルにおいて並行に伝送されるオーディオ及び／又はビデオ情報の再生のための装置であって、当該各チャネルにおける情報は、第１及び第２情報に分割され、
（Ａ）前記第１情報とこれに好ましくは並行又は非並行に伝送される第２情報とを受信し弁別することのできるレシーバと、
（Ｂ）オーディオ及び／又はビデオ情報の中間的記憶のためのオプションとしてのバッファと、
（Ｃ）前記第２情報がチャネルの変更後の再生に適しているかどうかを判定することのできるオプションとしてのデコーダと、
（Ｄ）当該レシーバに結合された、前記オーディオ及び／又はビデオ情報の再生のための再生ユニットと、
（Ｅ）当該レシーバ、バッファ、デコーダ及び再生ユニットに結合されるユニットであって、前記複数のチャネルのうちの１つをユーザが選択し当該選択チャネルの前記第１情報を前記レシーバから前記再生ユニットへ供給することを可能とする制御ユニットと、
を含み、
前記制御ユニットはさらに、前記選択チャネルが変更される度に情報モードを初期化し、初期化から所定時間後に当該情報モードを終了させ、前記第２情報は、前記情報モードにおいて前記第１情報に並行に又はこれに代えて前記再生ユニットに供給される、とした装置に関する。
【００３１】
この装置によっては、上述した各方法を実現することができる。したがって、これらの方法から得られる有利性を達成することができる。さらに、この装置を上述した各方法の好ましい変形例に応じて改変することができる。
【００３２】
本装置は特に、記録されるオーディオ及び／又はビデオ情報を複数の選択可能なチャネルにおいて当該受信機に伝送する再生ユニットを含み、当該各チャネルにおける情報は、第１及び第２情報に分割されるものとしてもよい。
【００３３】
【発明の実施の形態】
以下、本発明を添付図面に基づいて例示により説明する。この単一の図は、表示ユニット又はモニタ３によりオーディオ及び／又はビデオ情報を再生する本発明による装置において生じる種々のモード（「通常」，「ポーズ」，「再開」）という３つの動作段階を概略的に示している。モニタ３の代わりに他の適当な装置とのインターフェースを担う出力（部）を設けることができる。
【００３４】
伝統的には、主たる第１プログラムＰ１，Ｐ２，…とコマーシャル（第２プログラム）Ｃ１，Ｃ２，…とは交互に放送され、第１プログラムの視聴者は必然的に各コマーシャルと直面する。但し、「高性能な」ディジタル記録装置は、プログラムを記録したり遅延させたりし、各コマーシャルを極めて簡単にスキップすることを可能としている。さらに、視聴者が容易に別の興味あるチャネルを見つけそれに同調させることができるほどにそのチャネル数は多くＥＰＧはパワフルとなりうる。他方、コマーシャルも、プログラムの視聴コストを低減しうるという点で視聴者にとっては関心のあるものである。視聴者及び広告会社の双方にとって、こうしたコマーシャルが巧く的を得てかつ巧く時機を合わされると利益があるものである。コマーシャルは、プログラム後、プログラム前、及び／又は視聴者が休憩を取りたい旨の意思を示し自分のＴＶ／ＶＣＲ／ＳＴＢの（リモート）コントロールにおいて「ポーズ」又は「ストップ」を押したときに巧く時機合わせさせられる。このような時間調整が本発明によって達成される。
【００３５】
任意の時点でコマーシャルに切り換えることを可能にするために、コマーシャルは記録されなければならない。ディジタル放送及び記録は、限られた帯域幅のみ用いて比較的非常に長い時間期間にわたり２５秒コマーシャルを放送することを可能とする。そこで本発明は、（伝統的な形態でなされる場合のように）各プログラム後にコマーシャルＣ１，Ｃ２，…を放送し、当該プログラムに並行して（帯域幅の節約のため）時間的に伸長されたコマーシャルＣ１＊，Ｃ２＊，…を放送することを提案するものである。かかる低帯域幅の時間伸長チャネルは、メモリ４に持続的に記憶される。
【００３６】
交互順序の第１及び第２プログラムＰ１，Ｐ２，…，Ｃ１，Ｃ２，…の受信と第３プログラムＣ１＊，Ｃ２＊，…の並行受信は、レシーバ１を示す点線の枠において概略的に示される。「通常モード」（図の左部分）において、第１プログラムＰ１及びＰ２と第２プログラムＣ１とは、直接、レシーバ１からモニタ３へ供給される。
【００３７】
記憶ユニット２は、当該第３プログラム用のメモリ４と当該第１プログラム用のバッファ５とからなる。第３プログラムＣ１＊，Ｃ２＊，…は、メモリ４に連続的に記憶される。
【００３８】
ユーザが「ポーズ」を（図の左の部分に示される時点で）押すと、この装置の動作は「ポーズモード」（図の中央部分）に変わる。この「ポーズモード」においては、第１プログラムＰ２の即時表示（その一部Ｐ２′は既に表示されたものとなっている）が中断させられ、その代わりに第３プログラムＣ１＊，Ｃ２＊が表示される。このため、第３プログラムがメモリ４から得られる。その間に、当該第１プログラムＰ２の残りの部分Ｐ２″と後続する第１プログラムＰ３とがバッファ５に記憶される。但し、第２プログラムＣ２はバッファ記憶されずにスキップされる。
【００３９】
ユーザが第１プログラムＰ２を見続けたい旨を示すべく「ポーズ」を再び押すと、このシステムは、「再開モード」（図の右の部分。図の中央部分に示された時点から移行）に切り換わる。このモードにおいては、第１プログラムＰ２の表示が再開され、このプログラムの残りＰ２″がバッファ５から取り込まれることになる。この後、次のプログラムＰ３もバッファ５から読み出される。これらプログラムの間のコマーシャルＣ２，Ｃ３は、それらが記憶されていないので省略される。このコマーシャルＣ２，Ｃ３の省略は、プログラムのリアルタイム送信及び受信における時間を節約し、これによりバッファ５からのプログラムの再生は、リアルタイム伝送に最終的に追いつくことができる。そのような場合には、本システムは「通常モード」に戻るよう切り換わる。
【００４０】
要約すると、視聴者がメインプログラムのみを見る場合には各プログラム後のコマーシャルが自動的に示されることになると言える。ユーザがそのプログラム中に「ポーズ」を押すと、それまで記録されていた各コマーシャルが示されることになり、当該プログラム自体は遅れることになる。ユーザが視聴を再開する場合には、停止しておいた位置（個所）から開始することができ、そのプログラムの終端で放送されるコマーシャル（のいくつか）は、示されないことになる。換言すれば、ユーザはコマーシャルを見るための時間を選択したのである。
【００４１】
プログラム中の低帯域幅のコマーシャルのチャネルは、短いコマーシャルメッセージを挿入するのに用いることもでき、かかるメッセージ（「この番組は〜によってお届けしております。」）は、当該チャネルにその視聴者が同調した後暫くの間表示される。このメッセージの最良のタイミングとしては、その視聴者が長い時間そのプログラムを見ようと決めたときが考えられる。例えば、かかる方法において、第３プログラムＣ１＊は、これらプログラムを有するチャネルが選択された後に第１プログラムＰ１に並行して表示することができる。かくして、本発明は、チャネルの変更又は記録の直後に表示するのに適した第２／第３プログラムを実現する方法にも関するのである。かかるプログラムが記録されると、時間伸長されたコマーシャルも記録可能となる。これは、当該コマーシャルは、そのプログラムがある所定の時間後又は２回目に視聴されたとしても表示可能となることを意味する。
【図面の簡単な説明】
【図１】オーディオ及び／又はビデオ情報を再生する本発明による装置において生じる３つの動作段階を概略的に示す図。
【符号の説明】
１　…レシーバ
２　…記憶ユニット
３　…ディスプレイ
４　…メモリ
５　…バッファ
Ｐ１，Ｐ２，〜　…第１プログラム
Ｐ２′，Ｐ２″　…Ｐ２の第１及び第２の部分
Ｃ１，Ｃ２，〜　…第２プログラム（コマーシャル）
Ｃ１＊，Ｃ２＊，〜　…第３プログラム（コマーシャル）
【図１】
2004513579.tif 000003
【国際公開パンフレット】
2004513579.tif 000004
2004513579.tif 000005
2004513579.tif 000006
2004513579.tif 000007
2004513579.tif 000008
2004513579.tif 000009
2004513579.tif 000010
2004513579.tif 000011
2004513579.tif 000012
2004513579.tif 000013
2004513579.tif 000014
2004513579.tif 000015
2004513579.tif 000016
2004513579.tif 000017
2004513579.tif 000018
2004513579.tif 000019
2004513579.tif 000020
【国際公開パンフレット（コレクトバージョン）】
2004513579.tif 000021
【国際公開パンフレット（コレクトバージョン）】
2004513579.tif 000022
【国際調査報告】
2004513579.tif 000023
2004513579.tif 000024
2004513579.tif 000025
2004513579.tif 000026
2004513579.tif 000027
2004513579.tif 000028